(57)【要約】【課題】  燃焼ガスの排気抵抗に影響されることなく、燃焼用空気と燃料ガスとの割合を好適に維持して良好な燃焼性能を得る。【解決手段】  コンロバーナ４へのガス管１７に設けられる均圧弁２４は、内部をガス圧室２５と空気圧室２６とに仕切るダイヤフラム２７と、そのダイヤフラム２７に連結され、ガス圧室２５内のガス流路２８の開度を調整可能な弁体２９とからなり、空気圧室２６は、接続管３０によって給気ファン１４と第一ガスノズル１５との間で混合管１１と接続されている。給気ファン１４の回転数は、リモコン６０で選択される火力に応じてコントローラ２１が制御し、この制御による燃焼用空気の流量に対応してダイヤフラム２７が動作し、ガス流路２８の開度を調整する。よって、コンロバーナ４へのガス供給量は、燃焼用空気の流量に対応して決定されることになる。【選択図】  図１
2006138603.tif 000002
【特許請求の範囲】
【請求項１】
調理容器を加熱するバーナと、そのバーナの火力を調整する火力調整手段と、前記バーナに燃焼用空気を供給するファンとを備えたガスコンロであって、
前記火力調整手段による調整に応じて、前記ファンの風量を調整すると共に、前記ファンから送風される燃焼用空気の流量に対応した圧力によって前記バーナへのガス供給量を調整するガス量調整手段を設けたことを特徴とするガスコンロ。
【請求項２】
ガス量調整手段は、ガス供給路に設けられ、ファンの圧力によってガス供給量が調整される均圧弁である請求項１に記載のガスコンロ。
【発明の詳細な説明】
【技術分野】
【０００１】
本発明は、調理容器を加熱するバーナと、そのバーナの火力を調整する火力調整手段と、バーナに燃焼用空気を供給するファンとを備えたテーブルコンロ等のガスコンロに関する。
【背景技術】
【０００２】
例えば特許文献１に開示されるように、器体内に円筒状の燃焼室を形成してその上方に調理容器を載置し、燃焼室内に設けたバーナによって調理容器を加熱する一方、燃焼室内の燃焼排気を排気ファンにより強制的に吸引排気するガスコンロが知られている。このガスコンロでは、排気ファンの回転速度をバーナの燃焼量に応じて増減する構成となっている。具体的には、火力調節レバー等の火力調整手段に応じてファンモータの駆動回路に設けた可変抵抗器の抵抗値を変化させるといった構成である。
【０００３】
【特許文献１】特開平９−２２９３６９号公報
【発明の開示】
【発明が解決しようとする課題】
【０００４】
しかし、このガスコンロでは、燃焼室内の燃焼ガスが調理容器と熱交換する前にファンにより吸引されてしまい、熱効率を低下させていた。
そこで、本発明者は、大きな燃焼室を形成することなく、バーナと調理容器底面とを接近させて狭い燃焼空間を形成し、その燃焼空間をさらに複数の燃焼ガス通路に分割して、バーナの燃焼ガスを各燃焼ガス通路に分割して外周側へ流すことで、燃焼ガスと調理容器との熱交換を促進して熱効率を高めようとする技術を発明している。
ところが、狭い燃焼ガス通路に煮こぼれによる煮汁等が入り込んだりすると、燃焼ガス通路の通過抵抗が変化し、バーナの燃焼量と排気ファンの回転速度とが調整されたものであっても、バーナに供給される燃焼用空気と燃料ガスとの割合（空燃比）が変化してしまい、燃焼不良を起こす等の問題が生じていた。
【０００５】
そこで、本発明は、燃焼ガスの排気抵抗に影響されることなく、燃焼用空気と燃料ガスとの割合を好適に維持して良好な燃焼性能が得られるガスコンロを提供することを目的とする。
【課題を解決するための手段】
【０００６】
上記目的を達成するために、請求項１に記載の発明は、火力調整手段による調整に応じて、ファンの風量を調整すると共に、ファンから送風される燃焼用空気の流量に対応した圧力によってバーナへのガス供給量を調整するガス量調整手段を設けたことを特徴とするものである。
請求項２に記載の発明は、請求項１の目的に加えて、ガス量調整手段を簡単な構成で得るようにするために、ガス量調整手段を、ガス供給路に設けられ、ファンの圧力によってガス供給量が調整される均圧弁としたものである。
【発明の効果】
【０００７】
請求項１に記載の発明によれば、燃焼ガス通路の通過抵抗が変化するようなことがあっても、火力調整手段で選択された火力に応じた燃焼用空気と燃料ガスとの割合が好適に維持される。よって、燃焼不良を起こすことがなく、良好な燃焼性能が得られる。
請求項２に記載の発明によれば、請求項１の効果に加えて、均圧弁の採用によってガス量調整手段を簡単に得ることができる。
【発明を実施するための最良の形態】
【０００８】
以下、本発明の実施の形態を図面に基づいて説明する。
図１は、ガスコンロの一例であるテーブルコンロ１の説明図で、トッププレート２に形成された開口３内には、コンロバーナ４が中央に配置され、そのコンロバーナ４を中心としてその周囲を囲むように、調理容器Ｐを載置する平面リング状の五徳５が載置されている。６はコンロバーナ４と五徳５の間に設けられた平面リング状の汁受皿である。
コンロバーナ４は、燃焼に必要な空気の殆どを一次空気として吸入する全一次空気式のバーナで、上方にフランジ８を周設した筒状のバーナ本体７と、外周に多数の炎口１０，１０・・を複数列形成した同じく筒状のバーナヘッド９とからなる。バーナ本体７内には、上端にリング盤１２を延設した筒状の内部混合管１１が同軸で設けられている。この内部混合管１１は、バーナ本体７内での固定状態で、リング盤１２によってバーナヘッド９内を上下に仕切り、その上側部分にのみ混合ガスを供給可能としている。また、バーナ本体７の下端には、混合管１３を介して、燃焼用空気を供給するための給気ファン１４が接続されている。内部混合管１１は、混合管１３の途中まで延びて、混合管１３内を二重構造にしている。
【０００９】
この混合管１３における二重構造部分には、第一ガスノズル１５と第二ガスノズル１６との２つのガスノズルが接続されている。第一ガスノズル１５は、外側の混合管１３内に開口して、燃料ガスの噴出により、給気ファン１４からの燃焼用空気と混合させて、その混合気をバーナヘッド９内におけるリング盤１２の下側空間に供給可能としている。一方、第二ガスノズル１６は、内部混合管１１内に開口して、燃料ガスの噴出により、内部混合管１１の下端開口から給気ファン１４からの燃焼用空気を取り込んで混合気として、バーナヘッド９内におけるリング盤１２の上側空間に供給可能としている。よって、バーナヘッド９の炎口１０，１０・・は、第二ガスノズル１６側から供給された混合気が燃焼し、リング盤１２の上側に位置する炎口群Ａと、第一ガスノズル１５側から供給された混合気が燃焼し、リング盤１２の下側に位置する炎口群Ｂとに分かれることになる。
【００１０】
各ガスノズル１５，１６は、ガス管１７から分岐した分岐管１８，１９に夫々接続されており、このうち第二ガスノズル１６が設けられる分岐管１９には、切替電磁弁２０が設けられて、コントローラ２１により開閉制御されるようになっている。
また、分岐前のガス管１７には、上流側から、コントローラ２１によって開閉制御される元電磁弁２２、燃料ガスの供給圧を一定に制御するガスガバナ２３、そしてガス量調整手段となる均圧弁２４が夫々設けられている。均圧弁２４は、内部をガス圧室２５と空気圧室２６とに仕切るダイヤフラム２７と、そのダイヤフラム２７に連結され、ガス圧室２５内のガス流路２８の開度を調整可能な弁体２９とからなり、空気圧室２６は、接続管３０によって給気ファン１４と第一ガスノズル１５との間で混合管１１と接続されている。
【００１１】
よって、ダイヤフラム２７は、弁体２９が受けるガス入口からの一次圧と、ダイヤフラム２７が受けるガス出口からの二次圧とを加えた図１でいう下向きの力と、弁体２９が受けるガス出口からの二次圧と、ダイヤフラム２７が受ける空気圧とを加えた上向きの力とによって動作し、両者のバランスによってガス流路２８の開度は決定される。ここで、ガス一次圧はガスガバナ２３によって定圧となるため、ガス流路２８は、空気圧室２６への空気圧が変化すると、それに応じて開度が変化する。すなわち、空気圧が高くなると、ダイヤフラム２７が弁体２９の開弁方向へ動作してガス流路２８の開度を大きくし、空気圧が低くなると、ダイヤフラム２７が弁体２９の閉弁方向へ動作してガス流路２８の開度を小さくするものである。
【００１２】
一方、五徳５は、図２に示すように、内周縁及び外周縁を下方に向けてリング状に折曲し、上面を外周へ行くに従って高くなる緩傾斜面とした五徳リング３１と、その五徳リング３１上に垂直方向へ立設された８つの仕切壁３２，３２・・とからなる。仕切壁３２は、コンロバーナ４を中心とした渦巻き状となるように夫々方向を合わせて配置され、上端は、調理容器Ｐが載置できるように同じ高さで形成されて、調理容器Ｐの底面へ渦巻きライン状に当接して、調理容器Ｐを支持する五徳爪を兼ねるようになっている。
また、ここでは、各仕切壁３２の湾曲形状の設定により、隣接する仕切壁３２，３２間の距離Ｗ（燃焼ガスの流れ方向に対して直交する水平方向の仕切壁間の距離）を、コンロバーナ４の中心から外側へ離れるに従って狭くなるようにしている。
【００１３】
さらに、五徳リング３１及び汁受皿６の下面側と、コンロバーナ４のフランジ８より下方の外周面とは、断熱材、例えばセラミックウール３３，３３・・で被覆されている。そのセラミックウール３３の上方で五徳５の内周側には、下方へ行く程狭くなるすり鉢状の小リング板３５と、その小リング板３５上へ垂直方向に立設される複数の旋回羽根３６，３６・・とからなる旋回羽根リング３４が設けられる。旋回羽根３６は、五徳リング３１の仕切壁３２と同様に、上方から見て円弧状に形成され、コンロバーナ４を中心とした渦巻き状となるように夫々方向を合わせて配置されている。この旋回羽根リング３４は、コンロバーナ４の火炎を旋回羽根３６に衝突させてその噴出方向を旋回方向へ導くことで、火炎のリフトを防止するものである。
【００１４】
よって、五徳５上に調理容器Ｐを載置すると、上方が調理容器Ｐの底面で、下方が五徳５の五徳リング３１及び旋回羽根リング３４の小リング板３５で夫々閉塞され、仕切壁３２及び旋回羽根３６で渦巻き状に区画された燃焼ガス通路、すなわち、調理容器Ｐの下方に外気が流入しない閉塞された狭い燃焼ガス通路３７，３７・・が形成されることになる。なお、五徳リング３１と旋回羽根リング３４との間に隙間が形成されても、コンロバーナ４の下方周囲に設けられるリング状の汁受皿６により気密が保たれる。
【００１５】
そして、テーブルコンロ１の器体内には、環状排気体４０が組み込まれている。この環状排気体４０は、コンロバーナ４及び五徳５と同心で配置されて、図３にも示すように、五徳リング３１の外周縁と同径の内筒４１と、その内壁部４１より大径の外筒４２と、内筒４１と外筒４２との上下を閉塞する上リング４３と下リング４４とからなる二重の筒状体で、上リング４３には、周方向へ等間隔で小孔４５，４５・・が穿設されている。また、外筒４２の下方部には、接線方向に一対の排気筒４６，４６が接続されている。この排気筒４６，４６は下流側で合流して排気ファン４７に接続されるもので、排気ファン４７の排気側は、図４（Ａ）に示すように、換気扇４８に開口する排気ダクト４９へ接続されている。よって、器体内には、環状排気体４０内から排気筒４６，４６を通り、排気ファン４７を介して排気ダクト４９から換気扇４８に至る排気通路が形成されることになる。
【００１６】
一方、環状排気体４０の上方には、覆いカバー５０が載置されている。この覆いカバー５０は、環状排気体４０の外筒４２と同径の短筒部５１と、その短筒部５１の上端に固着されるリング状のカバー部５２とからなり、短筒部５１の上端でカバー部５２との連結際には、周方向に排出口５３，５３・・が等間隔で穿設されている。また、覆いカバー５０は、カバー部５２の内径が異なるタイプを複数用意しておき、調理容器Ｐの外径に合わせて使い分けられる。すなわち、大径（例えばφ２８０）の調理容器Ｐ１（図１の左側に示す）では、カバー部５２の内径が大きい覆いカバー５０ａを用い、その短筒部５１を環状排気体４０上へ同軸で載置すると、カバー部５２の下面の高さが五徳リング３１の仕切壁３２の上端の高さと一致するように支持され、カバー部５２の内周縁を仕切壁３２の最外に近接させて、燃焼ガス通路３７の外周側の出口を塞ぐ。但し、カバー部５２の内周縁と調理容器Ｐ１との間には僅かに隙間Ｓが形成される。
同様に、小径（例えばφ２２０）の調理容器Ｐ２（図１の右側に示す）では、カバー部５２の内径が小さい覆いカバー５０ｂを用い、その短筒部５１を環状排気体４０へ同軸で載置すると、カバー部５２が仕切壁３２の上端に載る格好で燃焼ガス通路３７の外周側を塞ぎ、同じく内周縁を調理容器Ｐ２に僅かな隙間Ｓを残して近接させることになる。
【００１７】
ここで、調理容器Ｐ１用の覆いカバー５０ａの短筒部５１の下縁には、検知片５４が一箇所下向きに延設される一方、テーブルコンロ１の器体内には、覆いカバー５０ａの環状排気体４０への載置状態で検知片５４と対応する位置にマイクロスイッチ５５が設けられて、覆いカバー５０ａの載置状態で、検知片５４がマイクロスイッチ５５をＯＮさせる。４２ａは検知片５４との干渉を回避するために環状排気体４０の外筒４２の側面に形成された凹部である。
マイクロスイッチ５５のＯＮ信号は、コントローラ２１へ入力されるようになっており、コントローラ２１は、このＯＮ信号の有無により燃料ガスの供給量を調整する。具体的には、ＯＮ信号が得られない場合は、検知片５４がない覆いカバー５０ｂが利用される小径の調理容器Ｐ２であるとして、後述するように、その調理容器Ｐ２に対して最高の熱効率が得られる火力に自動調節する。一方、ＯＮ信号が得られる場合は、検知片５４がある覆いカバー５０ａが利用される大径の調理容器Ｐ１であるとして、同様にその調理容器Ｐ１に対して最高の熱効率が得られる火力に自動調節することになる。
【００１８】
こうして、五徳５周囲の燃焼排気空間は、覆いカバー５０で覆われると共に、環状排気体４０の小孔４５により、排気ファン４７によって強制排気可能な排気通路と連通することになる。
６０は、テーブルコンロ１の正面側に設けられたリモコンで、運転（ＯＮ／ＯＦＦ）スイッチ６１及び火力を調節するＵＰ／ＤＯＷＮスイッチ６２と、調節された火力を数字等で表示する表示器６３とが設けられている。コントローラ２１は、先述のように、覆いカバー５０の検知片５４の有無によって五徳５に載置される調理容器Ｐの大きさを判別してコンロバーナ４の火力を自動調整する燃焼量調整制御を実行するものであるが、この燃焼量の調整は、後述するように給気ファン１４の回転数を制御することで行う。同様に、リモコン６０には、その燃焼量調整制御を解除するキャンセルスイッチ６４も設けられており、この解除状態では、ＵＰ／ＤＯＷＮスイッチ６２で手動選択される火力に応じて給気ファン１４の回転数を制御する。
また、コントローラ２１は、燃焼量に応じた駆動量で排気ファン４７の駆動制御も行うが、これは、リモコン６０に設けられた強制排気スイッチ６５の押し操作によって任意にＯＮ／ＯＦＦ制御できるようになっている。
【００１９】
以上の如く構成されたテーブルコンロ１においては、リモコン６０の運転スイッチ６１を押すと、コントローラ２１は、元電磁弁２２及び切替電磁弁２０を開弁させ、分岐管１８，１９の第一、第二ガスノズル１５，１６から混合管１３及び内部混合管１１内へ燃料ガスを供給させる。同時にコントローラ２１は、給気ファン１４を駆動させてコンロバーナ４へ点火用に予め設定された回転数で燃焼用空気を供給すると共に、イグナイタを作動させて点火制御を行う。
第一ガスノズル１５から噴出された燃料ガスは、燃焼用空気と混合され混合ガスとなって混合管１３内を流れ、バーナヘッド９の下側の炎口群Ｂへ送られ、第二ガスノズル１６から噴出された燃料ガスは、内部混合管１１内で燃焼用空気と混合され混合ガスとなって内部混合管１１内を流れ、バーナヘッド９の上側の炎口群Ａへ送られる。よって、各炎口１０，１０・・から燃焼火炎が形成されることになる。
【００２０】
このように、給気ファン１４によって燃焼用空気を強制的に供給することにより、同じ燃焼量の場合でも、燃焼空間を狭くして熱効率を向上させることができる。
つまり、燃焼用空気が自然ドラフト力に供給される場合には、燃焼空間を狭くしてしまうとドラフト力が形成されず、燃焼空気の給気・排気がスムーズに行われないため、燃焼状態が悪化してしまうが、ここでは燃焼用空気が給気ファン１４により強制的に供給されるために、燃焼空間を狭くしても良好な燃焼状態を得ることができる。
なお、本発明はこうした強制燃焼方式に限るものではなく、自然燃焼式であっても良い。
【００２１】
そして、コンロバーナ４の点火制御後、コントローラ２１は、マイクロスイッチ５５のＯＮ信号の有無を判別して覆いカバー５０の種類、すなわち五徳５に載置されている調理容器Ｐの径を判別して、判別された調理容器Ｐの径に応じて給気ファン１４の回転数を予め設定された値で制御することで、均圧弁２４を動作させて最高の熱効率が得られる燃焼量でコンロバーナ４を燃焼させる。
図５（Ａ）は、ガスインプットと熱効率との関係を示すグラフで、実線が大径（φ２８０）の調理容器Ｐ１を、破線が小径（φ２２０）の調理容器Ｐ２を夫々示す。ここで、小径の調理容器Ｐ２の場合は、最高の熱効率はインプット０．８ｋＷ〜１．４ｋＷの範囲で得られることから、この範囲内の例えば１．４ｋＷの燃焼量で自動調節されることになる。一方、大径の調理容器Ｐ１の場合は、最高の熱効率は１．１ｋＷ〜２．３ｋＷの範囲で得られることから、この範囲内の例えば２．３ｋＷの燃焼量で自動調節されることになる。
【００２２】
こうして強火力側が選択されると、コントローラ２１はその火力に応じて給気ファン１４の回転数を増加させて空気量を増加させる。すると、接続管３０を介して均圧弁２４の空気圧室２６内の圧力が高くなるため、ダイヤフラム２７が開弁方向へ移動し、ガス流路２８の開度を大きくしてガス量を増加させる。一方、弱火力側が選択されると、コントローラ２１はその火力に応じて給気ファン１４の回転数を減少させて空気量を減少させる。すると、均圧弁２４の空気圧室２６内の圧力が減少するため、ダイヤフラム２７は閉弁方向へ移動し、ガス流路２８の開度を小さくしてガス量を減少させる。なお、混合管１３における接続管３０と第一ガスノズル１５との間には、オリフィス３８が設けられて、空気量やガス量の変化による流路抵抗の不安定化を防止している。
この燃焼量の自動調節は、キャンセルスイッチ６４を押さない限り解除されず、ＵＰ／ＤＯＷＮスイッチ６２を押しても火力は変化しない。
【００２３】
なお、この自動調節は、使い勝手と熱効率とを加味した最適な値としても良い。例えばＪＩＳ規格では、所定の大きさのインプットに対して各種テストで使用するのに適切な鍋径が定められていることから、このＪＩＳ規格に従って、同図（Ｂ）で示すように、φ２２０の調理容器Ｐ２の場合は、例えば２．４４ｋＷ〜２．９３ｋＷの範囲内で予め設定された所定の燃焼量で自動調節を行い、φ２８０の調理容器Ｐ１の場合は、例えば４．１９ｋＷ〜５．２３ｋＷの範囲内で予め設定された所定の燃焼量で自動調節を行うこともできる。
この場合、ＵＰ／ＤＯＷＮスイッチ６２を押すことで手動での火力調整を可能としても良い。また、最大火力を上記予め設定した所定の燃焼量に制限して、キャンセルスイッチ６４を押さなくても、それよりも弱火方向にはＵＰ／ＤＯＷＮスイッチ６２で自由に調整できるようにしても良い。よって、φ２２０の調理容器Ｐ２の場合は、例えば２．９３ｋＷを最大火力とすることができる。
【００２４】
そして、キャンセルスイッチ６４を押して燃焼量の自動調節を解除すると、ＵＰ／ＤＯＷＮスイッチ６２による手動での火力調整が可能となるが、ＵＰ／ＤＯＷＮスイッチ６２の操作によって最小火力が選択されると、コントローラ２１は、選択された火力に応じた回転数で給気ファン１４を制御すると共に、切替電磁弁２０を閉弁させて分岐管１９からの燃料ガスの供給を停止させ、均圧弁２４で調整された燃料ガスを第一ガスノズル１５のみから混合管１３内に供給させる。このため、下側の炎口群Ｂの炎口１０では弱火で燃焼を続けるが、上側の炎口群Ａの炎口１０では混合ガスが噴出せず、内部混合管６を通った燃焼用空気のみが炎口群Ａの炎口１０，１０・・からコンロバーナ４の燃焼領域に吹き出す。よって、炎口群Ｂで燃焼する燃焼火炎に対して過剰な二次空気が供給されることになり、火炎が冷却され、最小火力での熱効率が低下して、炎口群Ｂではとろ火が得られる。通まり、過剰な二次空気を供給することによって、熱流の温度を下げて熱交換効率を下げ、とろ火が得られるようにしたものである。
【００２５】
一方、コンロバーナ４の燃焼ガスは、旋回羽根リング３４の旋回羽根３６によって旋回しながら外周側へ導かれた後、五徳５上の燃焼ガス通路３７，３７・・に流入し、仕切壁３２と衝突しながら渦巻き状に外周へ移動する。この仕切壁３２との衝突の際に、燃焼ガスは水平方向から上方向に流れを変化させ、調理容器Ｐ底面に衝突する。このため、調理容器Ｐ底面と燃焼ガスとの接触が良好となると共に、接触距離が長くなって伝熱効率を向上させることができる。特に、渦巻き状に分割された燃焼ガス通路３７の通路断面積が、コンロバーナ４から遠くなるほど狭くなるように形成されているため、燃焼ガスが調理容器Ｐの底面との熱交換により温度が低下しても流速が下がることがなく、燃焼ガスの拡散が防止されて燃焼ガス通路３７の終端まで熱交換は促進される。つまり、燃焼ガスという熱流を五徳５の内側から外側にかけて形成された狭い空間内を通過させることで、熱が拡散せずに有効に調理容器底面を加熱することができる。
【００２６】
こうして燃焼ガス通路３７の外周から排出された燃焼排気は、強制排気スイッチ６５をＯＮさせない状態では、図６の実線で示すように、覆いカバー５０のカバー部５２と調理容器Ｐとの隙間Ｓや覆いカバー５０の排出口５３を通って五徳５の外周側へ排出され、調理容器Ｐの側面に沿って上昇する。このため、熱流を無駄に外側に排出せず、調理加熱として有効に利用できる。また、調理容器Ｐから生じた油の蒸気が燃焼排気と共に上昇して換気扇４８から室外へ排出されることになる。よって、トッププレート２上への油の飛散を効果的に防止できる。これは燃焼排気が生じない電磁調理器には得られない利点である。
さらに、渦巻き状の仕切壁３２や覆いカバー５０により火炎が囲まれるため、火炎が調理容器下面横から流出せず、使用者の着衣に引火することがなく安全である。
【００２７】
そして、強制排気スイッチ６５をＯＮさせると、排気ファン４７が駆動して、五徳５の燃焼ガス通路３７の外周から排出される燃焼排気を、図６の点線で示すように、覆いカバー５０内からそのまま下方の環状排気体４０内へ吸引し、その下流に形成される排気通路を通して排気ダクト４９へ排出し、換気扇４８によって室外へ排出させる。
なお、リモコン６０において、強制排気スイッチ６５をＯＮした後、所定時間（数秒間）の間にＵＰ／ＤＯＷＮスイッチ６２を押し操作すれば、排気ファン４７の回転数を変更して排気量を増減することができる（排気量選択手段）。よって、燃焼排気の全てを排気通路を利用して排出するようにできるのは勿論、排気量を抑えて燃焼排気の一部を調理容器Ｐの側面に沿って排出させるようにすることで、前述の調理加熱としての有効利用や油の蒸気の排出の効果が併せて得られることになる。
【００２８】
このように、上記形態のテーブルコンロ１によれば、火力調整手段による調整に応じて、給気ファン１４の風量を調整すると共に、給気ファン１４から送風される燃焼用空気の流量に対応した圧力によってコンロバーナ４へのガス供給量を調整するガス量調整手段を設けたことで、狭い燃焼ガス通路３７に煮こぼれによる煮汁等が入り込んだりして燃焼ガス通路３７の流路抵抗が変化するようなことがあっても、火力調整手段で選択された火力に応じた燃焼用空気と燃料ガスとの割合が好適に維持される。よって、燃焼不良を起こすことがなく、良好な燃焼性能が得られる。
特に、ガス量調整手段を、ガス供給路に設けられ、給気ファン１４の圧力によってガス供給量が調整される均圧弁２４としたことで、ガス量調整手段を簡単な構成で得られるようになっている。
【００２９】
一方、取り付けられた覆いカバー５０の種類を判断し、その判断に基づいてコンロバーナ４の燃焼量を自動調整しているため、調理容器の径に合った適切な燃焼量で調理容器を加熱することができる。よって、熱エネルギーのロスがなくなり、覆いカバー５０を利用した好適な熱効率の向上が期待できる。
また、覆いカバー５０の種類を判断する判断手段として、覆いカバー５０の取付により機械的に作動するマイクロスイッチ５５を採用しているため、簡単且つ確実に覆いカバー５０の種類の判別可能となる。
【００３０】
また、調理容器Ｐの周囲から熱交換後の燃焼排気が流出する空間を上方から覆うように覆いカバー５０を取り付けると共に、覆いカバー５０で覆われた燃焼排気空間と連通する排気通路を形成し、排気通路を経由してコンロバーナ４の燃焼排気を器体外に排出する構成としたことで、調理容器のコンロバーナ４の燃焼ガスと調理容器Ｐとが熱交換した後の燃焼排気を吸引して器体外へ排出できると共に、調理容器Ｐの外周側も良好に加熱可能となる。よって、熱効率を低下させることなく、燃焼排気の使用者側への放出が防止可能となる。
また、覆いカバー５０は、調理容器Ｐの径に合った開口を有するリング状としたことで、径の異なる調理容器Ｐ１，Ｐ２でも覆いカバー５０で適切に覆うことができる。
また、コンロバーナ４の燃焼排気を排気ファン４７により強制的に排出するため、コンロバーナ４の燃焼排気をスムーズに排出することができる。
【００３１】
また、調理容器Ｐの下方でコンロバーナ４からの燃焼ガスを、バーナ中心からの放射方向とは異なる方向に延びた仕切壁３２に案内させて流すことによって、燃焼ガスと調理容器Ｐとの熱交換距離を長くしているため、燃焼ガスと調理容器Ｐとの熱交換をより効果的に行わせることができる。特に、仕切壁３２を、コンロバーナ４の周囲に設けられて上方から見て渦巻き状に形成された壁体とし、調理容器底面を渦巻きライン上で支持する五徳爪としたことで、仕切壁３２を五徳爪に兼用して調理容器Ｐの底面を燃焼ガス通路３７の区画に利用できる。しかも、燃焼ガスが渦巻き状に区画された燃焼ガス通路３７に沿って外側に流れるとき、仕切壁３２に当たって上方向に導かれて調理容器Ｐ底面と良好に衝突するため、一層調理容器Ｐ底面を良好に加熱できる。
【００３２】
さらに、覆いカバー５０で覆われた燃焼排気空間から燃焼排気を吸引する小孔４５と、燃焼排気が排気通路に送られずに調理容器周囲に排出される排出口５３とを有するため、覆いカバー５０の排出口５３を通って五徳５の外周側へ排出される熱流を調理加熱として有効に利用できる。また、調理容器Ｐから生じた油の蒸気を燃焼排気と共に上昇させて換気扇４８へ運ぶことができるため、油の飛散によるトッププレート２の汚れも効果的に防止可能となる。
また、排気ファン４７を作動させて燃焼排気を器体外に排出する状態と、排気ファン４７を作動させずに排出口５３から燃焼排気を排出する状態とを選択する作動選択手段を備えたことで、燃焼排気を調理容器Ｐの周囲に放出させない場合と、熱流を有効利用して加熱調理する場合とを使用者の好みに応じて使い分けでき、使い勝手に優れる。
【００３３】
そして、排気ファン４７の排気量を調整する排気量調整手段を備えたことで、調理容器Ｐの周囲への燃焼排気の放出と排気通路への燃焼排気の吸引とを最適なバランスで行うことができる。特に、この排気量の調整により、排気ファン４７を作動させたときでも燃焼排気の一部が排出口５３から排出される構成とできるため、燃焼排気の吸込み量を適量にするのに加えて、燃焼排気の調理加熱への有効利用と油蒸気の排出との効果が併せて得られる。
また、排気通路は、換気扇４８に至る排気ダクト４９に連通する構成としたことで、換気扇４８を利用して排気通路の燃焼排気を簡単且つ確実に室外へ排出することができる。
【００３４】
加えて、狭い燃焼ガス通路３７に煮汁等が入り込んで燃焼ガス通路３７の流路抵抗が変化するようなことがあっても、給気ファン１４による燃焼用空気の流量に対応してガス供給がなされるため、燃焼不良が生じることがなく、燃焼ガスを利用した熱効率の向上を維持することができる。
【００３５】
なお、均圧弁は、上記形態のようにガス圧室において弁体の上側がガス入口、下側がガス出口となる構造に限らず、例えば図７に示す均圧弁２４ａのように、ダイヤフラム２７とガス流路２８との間にガス管１７が接続されてガス入口となり、ガス圧室２５の上側がガス出口となる構造でも差し支えない。この場合も同様に給気ファン１４からの空気圧に応じてダイヤフラム２７が弁体２９を動作させて、空気量に応じたガス量を供給することになる。特にこの構造では、弁体２９の受圧径とダイヤフラム２７の有効径とが等しければ、ガスの一次圧に関係なくガス二次圧は給気ファン１４からの空気圧と等しくなるため、ガスガバナを省略することができ、構成の簡略化が図られる。
【００３６】
一方、覆いカバーの判断手段は、覆いカバーが３種類以上ある場合は検知片の長さ或いは位置を覆いカバーごとに変えると共に、各検知片の位置に応じて複数のマイクロスイッチを設置しておけば、どのマイクロスイッチのＯＮ信号かによって３種類以上の覆いカバーでも判別可能となる。
また、このような検知片とマイクロスイッチとによる機械式に限らず、例えば環状排気体等の排気通路内に温度センサを設けて、この温度センサの検出温度が所定温度以上の場合には、内径が小さい覆いカバー、すなわち小径の調理容器と判断して、ガス燃焼量を制限（例えば二分の一）することもできる。小径の調理容器の場合は、調理容器への加熱に寄与しない燃焼ガスの割合が大径の調理容器に比べて多いため、小径の調理容器と大径の調理容器とで燃焼排気の温度に差ができる（小径の調理容器の方が排気温度は高い）からである。
【００３７】
さらに、燃焼排気の排出は、換気扇のダクトを利用するのに限らず、テーブルコンロがガスグリルを内設するものであれば、図４（Ｂ）に示すように、ガスグリル７０の排気通路７１に排気ファン４７の下流側の排気通路を連結して、テーブルコンロ１の後方に設けたガスグリル用の排気口７２から排出させることもできる。このようにすれば、ガスグリル７０の構成を利用して簡単且つ適切な位置に排気通路の排気口を得ることができる。その他、使用者に近い調理容器の周囲でなければ、例えばテーブルこんろの背面や側面に別途設けた排気口等に排気通路を接続する等、独立した排気口を形成しても良い。
一方、燃焼排気の排出にファンを利用するのに限らず、排気通路の形態によっては自然排気によって燃焼排気の排出を図ることもできる。
【００３８】
そして、燃焼排気を強制的に排出する場合、排気通路内で燃焼排気が凝縮してドレンが発生する場合がある。よって、ドレンの発生を防止するドレン防止手段、或いは発生したドレンを処理するドレン処理手段を設けるのが望ましい。
ドレン防止手段としては、例えば、環状排気体の外壁部に吸気口を形成して、排気通路内に空気を吸入させることで、燃焼排気を希釈して露点を下げるようにする構成が考えられる。
一方、ドレン処理手段としては、例えば環状排気体の下方部に、着脱可能な貯水タンクを設けて、貯水タンクに貯まったドレンを適宜廃棄可能とする構成や、発生したドレンをコンロバーナやグリルバーナの燃焼熱で加熱して蒸発させる構成等が考えられる。
【００３９】
その他、内部混合管や分岐管等によるコンロバーナの燃焼領域への冷却用空気の供給構造をなくして、単一のガスノズルによる通常のバーナ構造としても良いし、外周の五徳リングも、上記形態のように外周側の通路が狭くなる渦巻き状の仕切壁を立設したものに限らず、外周側の通路が広くなる渦巻き状の仕切壁を立設したものや、渦巻き状でなく、従来型の放射状の五徳爪を立設したものであっても、燃焼ガスによる高熱効率が可能であれば、上記形態に限定されない。さらには旋回羽根リングをなくして五徳リングを内周側へ伸ばすこともできる。
また、燃焼量の自動調整制御もなくして手動のみで火力調整可能とすることができる。
その他、本発明はテーブルコンロに限らず、ビルトインコンロ等のガスコンロにも適用可能である。
【００４０】
そして、本発明の火力調整手段は、手動で調整するものに限らず、自動的に調整されるものも含むものである。
また、上記実施例では、均圧弁によりガス量を自動調整したが、このような均圧弁に限るものでなく、燃料ガス供給路に比例弁を設けて、ファン圧力に応じて比例弁の開度を制御するもの等、種々の方式で実施できる。
【図面の簡単な説明】
【００４１】
【図１】テーブルコンロの説明図である。
【図２】五徳リングの説明図（上が平面、下が側面）である。
【図３】環状排気体及び覆いカバーの斜視図である。
【図４】（Ａ）は換気扇を利用した燃焼排気の排出を示す説明図、（Ｂ）はガスグリルを利用した燃焼排気の排出を示す説明図である。
【図５】ガスインプットと熱効率との関係を示すグラフである。
【図６】覆いカバー部分での燃焼排気の流れを示す説明図である。
【図７】均圧弁の変更例を示す説明図である。
【符号の説明】
【００４２】
１‥テーブルコンロ、４‥コンロバーナ、５‥五徳、７‥バーナ本体、９‥バーナヘッド、１０‥炎口、１１‥内部混合管、１３‥混合管、１４‥給気ファン、１５‥第一ガスノズル、１６‥第二ガスノズル、１７‥ガス管、２０‥切替電磁弁、２１‥コントローラ、２４，２４ａ‥均圧弁、２７‥ダイヤフラム、２９‥弁体、３０‥接続管、３１‥五徳リング、、３２‥仕切壁、３７‥燃焼ガス通路、４０‥環状排気体、４５‥小孔、４７‥排気ファン、５０‥覆いカバー、５２‥カバー部、５３‥排出口、６０‥リモコン、６１‥運転スイッチ、６５‥強制排気スイッチ、Ｐ，Ｐ１，Ｐ２‥調理容器。
【図１】
2006138603.tif 000003
【図２】
2006138603.tif 000004
【図３】
2006138603.tif 000005
【図４】
2006138603.tif 000006
【図５】
2006138603.tif 000007
【図６】
2006138603.tif 000008
【図７】
2006138603.tif 000009